(57)【要約】      （修正有）【課題】外部回路の外部端子との接続・解除を簡単に行うことができる端子ユニットを備えたノイズフィルタを実現する。【解決手段】ケース内にフィルタ回路を構成する電子部品を収納すると共に、上記ケースの側壁部１６ａ，１６ｂに取付けられる端子ユニットを備えたノイズフィルタであって、端子ユニットを構成する端子ネジ２２とナットとを螺合すると、第１の端子金具２０の腕部がバネ部材３１を圧縮して、第１の端子金具２０が上方に向かって付勢された状態で固定され、また、上記端子ネジ２２とナットとの螺合を解除すると、上方に向かって付勢された第１の端子金具２０が上昇することにより、第１の端子金具２０に取付られた端子ネジ２２が、第２の端子金具のネジ受片３９の上方に配置されるよう構成した。【選択図】図１４
0003139956.tif 000002
【実用新案登録請求の範囲】
【請求項１】
ケース内にフィルタ回路を構成する電子部品を収納すると共に、上記ケースの側壁部に取付けられる端子ユニットを備えたノイズフィルタであって、
上記端子ユニットは、第１の端子金具と、第１の端子金具に取付られる端子ネジと、第２の端子金具と、上記端子ネジと螺合するナットと、バネ部材を有しており、
上記端子ユニットの第１の端子金具は、垂直方向に延びる支持部と、該支持部の上端から延設され、ネジ孔が形成された座金部と、上記支持部の下端から延設され、バネ部材の上端と当接する腕部を有しており、
上記第２の端子金具は、ネジ孔が形成されたネジ受片を有しており、
座金部のネジ孔に端子ネジを挿入した状態の第１の端子金具の腕部を、上記バネ部材の上端に当接配置し、また、第１の端子金具の腕部の上方に上記ナットを固定し、さらに、第２の端子金具のネジ受片のネジ孔を上記ナット上に配置させた状態で該第２の端子金具を固定してなり、
上記端子ネジとナットとを螺合すると、第１の端子金具の腕部がバネ部材を圧縮して、第１の端子金具が上方に向かって付勢された状態で固定され、また、上記端子ネジとナットとの螺合を解除すると、上方に向かって付勢された第１の端子金具が上昇することにより、第１の端子金具に取付られた端子ネジが、第２の端子金具のネジ受片の上方に配置されるよう構成したことを特徴とするノイズフィルタ。
【請求項２】
上記端子ユニットの上部を覆う開閉可能なカバーを設けたことを特徴とする請求項１に記載のノイズフィルタ。
【請求項３】
上記端子ネジは、ネジ頭と、ネジ頭から伸びるネジ軸と、該ネジ軸の外面に形成されたネジ山を有すると共に、ネジ頭とネジ山との間のネジ軸をネジ山非形成部と成し、また、ネジ山非形成部の径を第１の端子金具の座金部のネジ孔より小径と成すと共に、ネジ山の径を第１の端子金具の座金部のネジ孔より大径と成し、第１の端子金具の座金部のネジ孔に端子ネジを挿入した状態において、ネジ頭とネジ山との間のネジ山非形成部に座金部が配置されるよう構成したことを特徴とする請求項１又は２に記載のノイズフィルタ。
【考案の詳細な説明】
【技術分野】
【０００１】
この考案はノイズフィルタに係り、特に、ケース内にフィルタ回路を構成する電子部品を収納すると共に、外部回路の外部端子との接続を行う端子ユニットを備えたノイズフィルタに関する。
【背景技術】
【０００２】
ノイズフィルタは、電源ライン或いは通信ライン等の外部ラインを経由して電子機器内に侵入する各種のノイズによって、電子機器が誤動作することを防止し、また、電子機器が発生するノイズを外部に発散させないために使用されるものである。
【０００３】
ケース内にフィルタ回路を構成する電子部品を収納して成るノイズフィルタとして、本出願人は、先に実用新案登録第３１２５２５８号を提案した。
このノイズフィルタにおいては、外部回路の外部端子との接続を行うために、ケースの壁部にインレットソケットやファストン端子を設けていた。
【特許文献１】実用新案登録第３１２５２５８号
【考案の開示】
【考案が解決しようとする課題】
【０００４】
本考案は、インレットソケットやファストン端子とは異なる構造の端子ユニットを備え、外部回路の外部端子との接続・解除を簡単に行うことができるノイズフィルタの実現を目的とするものである。
【課題を解決するための手段】
【０００５】
上記の目的を達成するために、本考案に係るノイズフィルタは、ケース内にフィルタ回路を構成する電子部品を収納すると共に、上記ケースの側壁部に取付けられる端子ユニットを備えたノイズフィルタであって、
上記端子ユニットは、第１の端子金具と、第１の端子金具に取付られる端子ネジと、第２の端子金具と、上記端子ネジと螺合するナットと、バネ部材を有しており、
上記端子ユニットの第１の端子金具は、垂直方向に延びる支持部と、該支持部の上端から延設され、ネジ孔が形成された座金部と、上記支持部の下端から延設され、バネ部材の上端と当接する腕部を有しており、
上記第２の端子金具は、ネジ孔が形成されたネジ受片を有しており、
座金部のネジ孔に端子ネジを挿入した状態の第１の端子金具の腕部を、上記バネ部材の上端に当接配置し、また、第１の端子金具の腕部の上方に上記ナットを固定し、さらに、第２の端子金具のネジ受片のネジ孔を上記ナット上に配置させた状態で該第２の端子金具を固定してなり、
上記端子ネジとナットとを螺合すると、第１の端子金具の腕部がバネ部材を圧縮して、第１の端子金具が上方に向かって付勢された状態で固定され、また、上記端子ネジとナットとの螺合を解除すると、上方に向かって付勢された第１の端子金具が上昇することにより、第１の端子金具に取付られた端子ネジが、第２の端子金具のネジ受片の上方に配置されるよう構成したことを特徴とする。
【０００６】
上記端子ユニットの上部を覆う開閉可能なカバーを設けるのが好ましい。
【０００７】
上記端子ネジとして、ネジ頭と、ネジ頭から伸びるネジ軸と、該ネジ軸の外面に形成されたネジ山を有すると共に、ネジ頭とネジ山との間のネジ軸をネジ山非形成部と成したものを用い、ネジ山非形成部の径を第１の端子金具の座金部のネジ孔より小径と成すと共に、ネジ山の径を第１の端子金具の座金部のネジ孔より大径と成し、第１の端子金具の座金部のネジ孔に端子ネジを挿入した状態において、ネジ頭とネジ山との間のネジ山非形成部に座金部が配置されるよう構成するのが好ましい。
【考案の効果】
【０００８】
本考案のノイズフィルタにあっては、端子ユニットを構成する端子ネジとナットとの螺合を解除すると、上方に向かって付勢された第１の端子金具が上昇することにより、第１の端子金具に取付られた端子ネジが、第２の端子金具のネジ受片の上方に配置されるよう構成したので、外部回路の外部端子との接続・解除を簡単に行うことができる。
【０００９】
端子ユニットの上部を覆う開閉可能なカバーを設けた場合、カバーを閉じて端子ユニット上部を覆うことにより、端子ユニットに埃が付着したり、誤って指が端子ユニットに接触することを防止でき、安全である。
また、カバーを開けて端子ユニット上部を開放することにより、外部回路を構成する電子部品から導出された外部端子との接続作業を容易に行うことができる。
【００１０】
端子ネジとして、ネジ頭と、ネジ頭から伸びるネジ軸と、該ネジ軸の外面に形成されたネジ山を有すると共に、ネジ頭とネジ山との間のネジ軸をネジ山非形成部と成したものを用い、第１の端子金具の座金部のネジ孔に端子ネジを挿入した状態において、ネジ頭とネジ山との間のネジ山非形成部に座金部が配置されるよう構成すると共に、ネジ山の径を座金部のネジ孔より大径と成した場合には、端子ネジとナットとの螺合が解除され、バネ部材の復元力により第１の端子金具が勢い良く上昇しても、端子ネジが第１の端子金具の座金部から脱落することを防止できる。
【考案を実施するための最良の形態】
【００１１】
以下において、本考案に係るノイズフィルタを添付図面に基づいて説明する。
図１及び図２は、本考案に係るノイズフィルタ10の斜視図であり、該ノイズフィルタ10は、樹脂等の絶縁材料より成る箱状のケース12を備えており、該ケース12内に、各種電子部品で構成された、例えば図３に示す如きフィルタ回路14が収納されている。
【００１２】
このフィルタ回路14は、第１のＸコンデンサC1、第２のＸコンデンサC2、第１のＹコンデンサC3、第２のＹコンデンサC4、コモンモードチョークコイルＬ及び抵抗器Ｒで構成されているものである。
尚、図３に示す回路構成は一例を示したものに過ぎず、これに限定されるものではない。
【００１３】
上記ケース12の対向する一対の側壁部16ａ，16ｂには、それぞれ２個の端子ユニット18が設けられている。
この端子ユニット18は、図４〜図６に示す略コ字状の第１の端子金具20、図７に示すように、上記第１の端子金具20に取付られる端子ネジ22、図８及び図９に示す第２の端子金具24を有している。
【００１４】
第１の端子金具20は、図４〜図６に示すように、垂直方向に延びる支持部26と、該支持部26の上端から水平方向に延設され、ネジ孔28が形成された座金部30と、上記支持部26の下端から水平方向に延設され、後述するバネ部材31の上端と当接する腕部32を有している。
【００１５】
また、上記端子ネジ22は、図１０に示すように、略円盤状のネジ頭33と、ネジ頭33から伸びる棒状のネジ軸34と、該ネジ軸34の外面に形成されたネジ山35を有している。上記ネジ頭33にはドライバー用の十字溝36が形成されている（図７参照）。また、ネジ頭33とネジ山35間のネジ軸34はネジ山非形成部37と成されている。
尚、ネジ山非形成部37の径は上記第１の端子金具20の座金部30のネジ孔28より小径と成されていると共に、ネジ山35の径は第１の端子金具20の座金部30のネジ孔28より若干大径と成されている。
【００１６】
第２の端子金具24は、図８及び図９に示すように、ネジ孔38が形成された板状のネジ受片39と、ケース12内に収納されたフィルタ回路14を構成する電子部品から導出された内部端子（図示せず）と接続される内部端子接続片40を有している。
上記ネジ受片39の外周には、外方へ突出する一対の係合爪41が形成されている。また、上記内部端子接続片40は、平坦部42と該平坦部の端部から立設するカシメ部43を有している。
【００１７】
図１及び図２において、11は接地線を接続するためのアース端子である。このアース端子11は一方の側壁部16ａだけでなく、他方の側壁部16ｂの対角位置にも設けられている。
【００１８】
図１１乃至図１３は、本考案の端子ユニット18を構成する第１の端子金具20、端子ネジ22、第２の端子金具24、ナット44、バネ部材31の組付状態を説明する斜視図、正面図及び側面図である。
すなわち、第１の端子金具20の座金部30のネジ孔28に、端子ネジ22を押し込んで挿入する。また、第１の端子金具20の腕部32とバネ部材31の上端とが当接するよう配置する。
さらに、端子ネジ22の下方にナット44を配置すると共に、端子ネジ22とナット44の間に、上記第２の端子金具24のネジ受片39を配置する。
ナット44は、略円筒体の内面に、上記端子ネジ22のネジ山35と螺合するネジ谷（図示省略）を有しており、端子ネジ22のネジ山35を、第２の端子金具24のネジ受片39のネジ孔38に挿通後、端子ネジ22とナット44とを螺合することにより、第１の端子金具20と第２の端子金具24とが一体化される。
また、端子ネジ22とナット44とを螺合していくと、第１の端子金具20の腕部32が下降してバネ部材31を圧縮するので、第１の端子金具20は上方に向かって付勢されることとなる。
【００１９】
図１４乃至図１９は、端子ユニット18をケース12に取付た状態を示す斜視説明図と部分断面説明図である。尚、説明の便宜上、図１４乃至図１９においては、後述するカバー49を省略している。
図１４乃至図１９に示すように、上記ケース12の側壁部16ａ，16ｂには、端子ユニット18を保持する２つの収容室45，45が設けられている。各収容室45は、上記バネ部材31、第１の端子金具20の腕部32及び支持部26を収容可能な穴部46と、該穴部46の上端から立設する一対の隔壁部47を有している。尚、２つの収容室45間に位置する隔壁部47は、両収容室45，45共用の隔壁部47と成されている。
上記穴部46の上部には、上記ナット44を保持・固定するためのフランジ48が形成されている（図１７及び図１９参照）。
また、上記隔壁部47は、第２の端子金具24のネジ受片39外周に形成された一対の係合爪41と係合して、第２の端子金具24を挟持・固定するものである。
【００２０】
尚、図１及び図２に示すように、上記ケース12には、収容室45に収容された端子ユニット18上部を覆う開閉可能なカバー49が設けられている。このカバー49は、左右両側の基端部50，50がそれぞれ、左右の隔壁部47，47に回動自在に取付けられている。
図１に示すように、カバー49を閉じて端子ユニット18上部を覆うことにより、収容室45内の端子ユニット18に埃が付着したり、誤って指が端子ユニット18に接触することを防止でき、安全である。
また、図２に示すように、カバー49を開ければ、端子ユニット18上部が開放されるので、外部回路を構成する電子部品から導出された外部端子（図示せず）との接続作業を容易に行うことができる。
【００２１】
上記端子ユニット18は、以下の方法でケース12への取付を行う。先ず、ケース12の収容室45の穴部46内にバネ部材31を収容する。
次に、端子ネジ22を取り付けた状態の第１の端子金具20の腕部32を、上記バネ部材31の上端に当接配置させた後、ナット44を穴部46のフランジ48上に載置・固定して、第１の端子金具20の腕部32の上方にナット44を配置させる。
最後に、第２の端子金具24のネジ受片39を、一対の隔壁部47間に圧入していくことにより、ネジ受片39のネジ孔38を上記ナット44上に配置させると共に、ネジ受片39の係合爪41と隔壁部47とを係合して、第２の端子金具24を固定する。
以上により、端子ユニット18のケース12への取付が完了する（図１４参照）。
【００２２】
次に、図１４乃至図１９に基づき、上記端子ユニット18の使用方法を説明する。
先ず、外部回路を構成する電子部品から導出された外部端子（図示せず）と、端子ユニット18との接続は以下の手順で行われる。
すなわち、図１４及び図１５に示すように、端子ネジ22とナット44との螺合が解除されていると、上記バネ部材31は元の伸びた状態となっており、第１の端子金具20に取付られた端子ネジ22は、第２の端子金具24のネジ受片39の上方に配置されている。この状態において、外部回路を構成する電子部品の外部端子（図示せず）を、上記ネジ受片39上に導入・配置する。
【００２３】
次に、図１６及び図１７に示すように、端子ネジ22とナット44とを螺合すべく、第１の端子金具20を下降させていくと、第１の端子金具20の腕部32がバネ部材31を押圧し、バネ部材31が圧縮していく。
そして、図１８及び図１９に示すように、端子ネジ22とナット44との螺合が完了すると、第１の端子金具20の座金部30と第２の端子金具24のネジ受片39との間に外部回路を構成する電子部品の外部端子（図示せず）が挟持・固定されることにより、外部端子と端子ユニット18との接続が完了する。また、バネ部材31が圧縮するため、第１の端子金具20は上方に向かって付勢された状態で固定されることとなる。
尚、図示は省略するが、ケース12内に収納されたフィルタ回路14を構成する電子部品から導出された内部端子（図示せず）と、第２の端子金具24の内部端子接続片40とがケース12内において接続されるものである。
【００２４】
次に、外部回路を構成する電子部品から導出された外部端子（図示せず）と、端子ユニット18との接続の解除は以下の手順で行われる。
すなわち、図示しないドライバーを用いて、端子ネジ22とナット44との螺合を完全に解除すると、圧縮されていたバネ部材31が復元するため、上方に向かって付勢されいた第１の端子金具20が勢い良く上昇する。
この結果、図１４及び図１５に示すように、第１の端子金具20に取付られた端子ネジ22が、第２の端子金具24のネジ受片39の上方に配置されるよう移動することになる。この状態で、第２の端子金具24のネジ受片39上に導入・配置されていた外部端子（図示せず）を取り外せば良い。
【００２５】
尚、図１２に示すように、第１の端子金具20の座金部30のネジ孔28に、端子ネジ22のネジ山35を回動させつつ押し込んで挿入すると、ネジ頭33とネジ山35との間のネジ山非形成部37に座金部30が配置され、しかも、ネジ山35の径が座金部30のネジ孔28より大径と成されているので、回動させつつ強く引き抜かない限り、端子ネジ22が座金部30のネジ孔28から外れることがない。従って、端子ネジ22とナット44との螺合が解除され、バネ部材31の復元力により第１の端子金具20が勢い良く上昇しても、端子ネジ22が第１の端子金具20の座金部30から脱落することを防止できる。
尚、ネジ山35の径が、第１の端子金具20の座金部30のネジ孔28より大きすぎると、端子ネジ22をネジ孔28に回動させつつ強く押し込んでも挿入できなくなるので、端子ネジ22がネジ孔28に挿入可能となるよう、ネジ山35の径は適宜調整されるものである。
【００２６】
上記した本考案に係るノイズフィルタ10の端子ユニット18にあっては、端子ネジ22とナット44との螺合を解除すると、上方に向かって付勢された第１の端子金具20が上昇することにより、第１の端子金具20に取付られた端子ネジ22が、第２の端子金具24のネジ受片39の上方に配置されるよう構成したので、外部回路を構成する電子部品から導出された外部端子との接続・解除を簡単に行うことができる。
【図面の簡単な説明】
【００２７】
【図１】本考案に係るカバーを閉じた状態のノイズフィルタを示す斜視図である。
【図２】本考案に係るカバーを開けた状態のノイズフィルタを示す斜視図である。
【図３】本考案に係るノイズフィルタのフィルタ回路の一例を示す回路図である。
【図４】端子ユニットを構成する第１の端子金具を示す斜視図である。
【図５】端子ユニットを構成する第１の端子金具を示す正面図である。
【図６】端子ユニットを構成する第１の端子金具を示す側面図である。
【図７】第１の端子金具に端子ネジを取付けた状態を示す斜視図である。
【図８】端子ユニットを構成する第２の端子金具を示す斜視図である。
【図９】端子ユニットを構成する第２の端子金具を示す平面図である。
【図１０】端子ユニットを構成する端子ネジを示す正面図である。
【図１１】端子ユニットを構成する第１の端子金具、端子ネジ、第２の端子金具、ナット、バネ部材の組付状態を示す斜視図である。
【図１２】端子ユニットを構成する第１の端子金具、端子ネジ、第２の端子金具、ナット、バネ部材の組付状態を示す正面図である。
【図１３】端子ユニットを構成する第１の端子金具、端子ネジ、第２の端子金具、ナット、バネ部材の組付状態を示す側面図である。
【図１４】端子ユニットをケースに取付た状態を示す第１の斜視説明図である。
【図１５】端子ユニットをケースに取付た状態を示す第１の部分断面説明図である。
【図１６】端子ユニットをケースに取付た状態を示す第２の斜視説明図である。
【図１７】端子ユニットをケースに取付た状態を示す第２の部分断面説明図である。
【図１８】端子ユニットをケースに取付た状態を示す第３の斜視説明図である。
【図１９】端子ユニットをケースに取付た状態を示す第３の部分断面説明図である。
【符号の説明】
【００２８】
10    ノイズフィルタ
12    ケース
14    フィルタ回路
Ｌ    コモンモードチョークコイル
C1    第１のＸコンデンサ
C2    第２のＸコンデンサ
C3    第１のＹコンデンサ
C4    第２のＹコンデンサ
Ｒ    抵抗器
16ａ  ケースの側壁部
16ｂ  ケースの側壁部
18    端子ユニット
20    第１の端子金具
22    端子ネジ
24    第２の端子金具
26    第１の端子金具の支持部
28    第１の端子金具のネジ孔
30    第１の端子金具の座金部
31    バネ部材
32    第１の端子金具の腕部
33    端子ネジのネジ頭
34    端子ネジのネジ軸
35    端子ネジのネジ山
36    端子ネジの十字溝
37    端子ネジのネジ山非形成部
38    第２の端子金具のネジ孔
39    第２の端子金具のネジ受片
40    第２の端子金具の内部端子接続片
41    第２の端子金具の係合爪
42    第２の端子金具の平坦部
43    第２の端子金具のカシメ部
44    ナット
45    収容室
46    収容室の穴部
47    収容室の隔壁部
48    収容室のフランジ
49    カバー
【図１】
0003139956.tif 000003
【図２】
0003139956.tif 000004
【図３】
0003139956.tif 000005
【図４】
0003139956.tif 000006
【図５】
0003139956.tif 000007
【図６】
0003139956.tif 000008
【図７】
0003139956.tif 000009
【図８】
0003139956.tif 000010
【図９】
0003139956.tif 000011
【図１０】
0003139956.tif 000012
【図１１】
0003139956.tif 000013
【図１２】
0003139956.tif 000014
【図１３】
0003139956.tif 000015
【図１４】
0003139956.tif 000016
【図１５】
0003139956.tif 000017
【図１６】
0003139956.tif 000018
【図１７】
0003139956.tif 000019
【図１８】
0003139956.tif 000020
【図１９】
0003139956.tif 000021